(57)【特許請求の範囲】
【請求項１】
（ａ）地図情報を格納する地図情報格納部と、
（ｂ）カレンダー及び地図を並べて同時に表示する表示装置と、
（ｃ）前記地図上の道路が指定されると、交通情報データベースにアクセスし、該交通情報データベースに含まれる前記指定された道路に関する統計情報に基づいて、前記指定された道路の渋滞の発生又は交通規制が予測される日付を抽出し、抽出された日付に基づいて前記渋滞の発生又は交通規制の情報を前記カレンダーに表示させる表示制御装置とを有することを特徴とする情報表示システム。
【請求項２】
前記表示制御装置は、前記抽出された日付に対応する前記カレンダーの枠内の表示を変化させる請求項１に記載の情報表示システム。
【発明の詳細な説明】
【技術分野】
【０００１】
本発明は、情報表示システムに関するものである。
【背景技術】
【０００２】
従来、自動車等の車両に配設されるナビゲーション装置においては、道路地図データに基づいて、設定された出発地から目的地までの最適な経路を探索して、表示手段に表示するようになっている。この場合、前記出発地から目的地までの距離が最短となるように経路を設定したり、所要時間が最短となるように経路を設定したりするようになっている。
【０００３】
また、カレンダー機能を利用して、事前に目的地を予約設定することができるナビゲーション装置が提供されている（例えば、特許文献１参照。）。この場合、車両の運転者等の操作者が、ナビゲーション装置の表示画面に表示されたカレンダー上の日付を選択し、目的地を予約設定しておくと、予約設定された当日にナビゲーション装置が自動的に前記目的地までの経路を探索するようになっている。
【０００４】
これにより、当日に目的地を設定しなくても、ナビゲーション装置が自動的に前記目的地までの経路を探索して表示するので、操作者は予約設定された目的地までの経路を容易に把握することができる。
【特許文献１】特開２００１−２９６１３５号公報
【発明の開示】
【発明が解決しようとする課題】
【０００５】
しかしながら、前記従来のナビゲーション装置においては、既に予約設定された事項を確認する場合、日付と目的地の名称が表示されるだけであり、操作者は、前記目的地の地図上の位置や目的地周辺の施設等に関する情報を把握することが困難であった。
【０００６】
そのため、既に予約設定された事項を確認し、目的地周辺の地図や目的地周辺に存在する施設等の名称等を把握しようとする場合、操作者は、表示された前記目的地の名称をナビゲーション装置に入力し直して、地図や施設を検索しなくてはならず、煩わしく感じるだけでなく、時間を浪費してしまう。
【０００７】
また、目的地を予約設定するためには、操作者は、ナビゲーション装置を操作して日付と目的地とを入力する必要があり、パーソナルコンピュータや電子手帳に既に入力されている操作者自身のスケジュールに関する情報を利用することができない。そのため、操作者は、パーソナルコンピュータや電子手帳の表示画面に表示されたスケジュールを見ながら、ナビゲーション装置を操作して日付と目的地を入力しなくてはならず、煩わしく感じるだけでなく、時間を浪費してしまう。
【０００８】
本発明は、前記従来の問題点を解決して、カレンダーにおいて選択された日付又は日時に対応する交通情報を表示するようにして、操作者が日付又は日時を選択するだけで、交通情報を容易に、かつ、正確に把握することができる情報表示システムを提供することを目的とする。
【課題を解決するための手段】
【０００９】
そのために、本発明の情報表示システムにおいては、地図情報を格納する地図情報格納部と、カレンダー及び地図を並べて同時に表示する表示装置と、前記地図上の道路が指定されると、交通情報データベースにアクセスし、該交通情報データベースに含まれる前記指定された道路に関する統計情報に基づいて、前記指定された道路の渋滞の発生又は交通規制が予測される日付を抽出し、抽出された日付に基づいて前記渋滞の発生又は交通規制の情報を前記カレンダーに表示させる表示制御装置とを有する。
【００１１】
本発明の更に他の情報表示システムにおいては、さらに、前記表示制御装置は、前記抽出された日付に対応する前記カレンダーの枠内の表示を変化させる。
【発明の効果】
【００１２】
本発明によれば、情報表示システムは、カレンダーにおいて選択された日付又は日時に対応する交通情報を表示する。これにより、操作者は、日付又は日時を選択するだけで、交通情報を容易に、かつ、正確に把握することができるので、例えば、渋滞の発生が予測されるような場合には、必要に応じて、予定を変更することができる。
【発明を実施するための最良の形態】
【００１３】
以下、本発明の実施の形態について図面を参照しながら詳細に説明する。
【００１４】
図２は本発明の第１の実施の形態における情報表示システムの構成を示す概念図である。
【００１５】
図において、１１はサーバとしての情報提供サーバであり、ＣＰＵ、ＭＰＵ等の演算手段、半導体メモリ、磁気ディスク、光ディスク等の記憶手段、通信インターフェイス等を備えるコンピュータの中に構成される。なお、該コンピュータは単一のコンピュータではなく、複数のコンピュータが有機的に結合された、いわゆる、分散型サーバであってもよい。また、前記コンピュータの中に他のシステムが構築されていてもよい。さらに、前記情報提供サーバ１１は、他のコンピュータの中に構築されたシステムの一つであってもよい。
【００１６】
そして、１２ａ及び１２ｂは、操作者によって操作される第１の情報端末及び第２の情報端末としての情報端末である。該情報端末は、実際には多数であるが、本実施の形態においては、説明の都合上、１２ａ及び１２ｂで代表する。また、前記操作者は、例えば、乗用車、トラック、バス、オートバイ等の車両の運転者、同乗者等であるが、歩行者であっても、公共交通機関の利用者であっても、いかなる者であってもよい。
【００１７】
なお、前記情報端末１２ａ、１２ｂは、ＣＰＵ、ＭＰＵ等の演算手装置、半導体メモリ、磁気ディスク、光ディスク等の記憶装置、液晶ディスプレイ、ＬＥＤ（Ｌｉｇｈｔ  Ｅｍｉｔｔｉｎｇ  Ｄｉｏｄｅ）ディスプレイ、ＣＲＴ等の表示装置、キーボード、ジョイスティック、十字キー、押しボタン、リモートコントローラ、タッチパネル等の入力装置、前記表示装置を制御する表示制御装置、及び、通信インターフェイス等の送受信部を備える。前記情報端末１２ａ、１２ｂは、例えば、乗用車、トラック、バス、オートバイ等の車両に搭載されるナビゲーション装置であるが、据置電話機、携帯電話機、ＰＨＳ（Ｐｅｒｓｏｎａｌ  Ｈａｎｄｙ−Ｐｈｏｎｅ  Ｓｙｓｔｅｍ）電話機、携帯情報端末、ＰＤＡ（Ｐｅｒｓｏｎａｌ  Ｄｉｇｉｔａｌ  Ａｓｓｉｓｔａｎｔ）、パーソナルコンピュータ、ゲーム機、デジタルテレビ等いかなるものであってもよい。
【００１８】
さらに、前記情報端末１２ａ、１２ｂは、図示されない現在位置検出装置を有するものであってもよい。該現在位置検出装置は、前記情報端末１２ａ、１２ｂが、例えば、ナビゲーション装置である場合、一般的には、ＧＰＳ（Ｇｌｏｂａｌ  Ｐｏｓｉｔｉｏｎｉｎｇ  Ｓｙｓｔｅｍ）、地磁気センサ、距離センサ、ステアリングセンサ、ビーコンセンサ、ジャイロセンサ等によって現在位置を検出する。また、例えば、携帯電話機、携帯情報端末等である場合、一般的には、該携帯電話機、携帯情報端末等が在圏する基地局との通信に基づいて、該基地局の位置を現在位置として検出する。
【００１９】
ここで、前記情報提供サーバ１１及び情報端末１２ａ、１２ｂはネットワーク２７を介して互いに通信可能に接続される。なお、該ネットワーク２７は、有線又は無線の公衆通信回線網、専用通信回線網、携帯電話回線網、インターネット、イントラネット、ＬＡＮ（Ｌｏｃａｌ  Ａｒｅａ  Ｎｅｔｗｏｒｋ）、ＷＡＮ（Ｗｉｄｅ  Ａｒｅａ  Ｎｅｔｗｏｒｋ）、衛星通信回線網等いかなる通信回線網であってもよく、これらを適宜組み合わせたものであってもよい。また、放送衛星によるＣＳ放送やＢＳ放送を利用して通信してもよく、地上波デジタルテレビ放送を利用して通信してもよく、ＦＭ多重放送を利用して通信してもよく、また、道路脇に設置されている光ビーコンや電波ビーコンを利用して通信してもよい。
【００２０】
そして、本実施の形態における情報表示システムは前記情報提供サーバ１１及び情報端末１２ａ、１２ｂによって構成される。
【００２１】
なお、前記情報提供サーバ１１は、前記情報端末１２ａ、１２ｂから送信された出発地情報及び目的地情報に基づいて目的地までの経路等の情報を前記情報端末１２ａ、１２ｂに提供するための情報提供部１３、前記情報端末１２ａ、１２ｂと情報のやり取りをする送受信部１４、前記情報を逐次前記情報端末１２ａ、１２ｂ毎に格納する端末情報格納部１５、及び、前記情報端末１２ａ、１２ｂをＩＤキー等に基づいて特定するための端末特定部１６を有する。
【００２２】
そして、前記情報提供部１３は、地図情報格納部としての地図データベース１７、ＰＯＩ（Ｐｏｉｎｔ  ｏｆ  Ｉｎｔｅｒｅｓｔ）データベース１８、道路データベース１９、交通情報格納部としての交通情報データベース２０、スケジュール情報格納部としてのＰＩＭ（Ｐｅｒｓｏｎａｌ  Ｉｎｆｏｒｍａｔｉｏｎ  Ｍａｎａｇｅ）データベース２１等を有する。
【００２３】
ここで、前記地図データベース１７は、地図を描画するためのノード、リンク、座標、施設名称等の地図情報を格納する。また、前記ＰＯＩデータベース１８は、出発地、目的地、通過点等となる地点を検索するための施設データ、タウンページデータ、イベントデータ等を格納する。さらに、前記道路データベース１９は、道路の探索コスト、道路の種別等の経路を探索するためのデータを格納する。
【００２４】
また、前記交通情報データベース２０は、例えば、ＶＩＣＳと称される道路交通情報通信システムにおいて、警察、日本道路公団等の交通管制システムの情報を収集して作成した道路の渋滞等に関する道路交通情報や交通規制情報を格納する。さらに、前記交通情報データベース２０は、祭り、パレード、花火大会等のイベントの開催予定場所、予定日時等のイベント予定情報、例えば、駅周辺や大型商業施設周辺の道路には週末を除く毎日の特定時刻に渋滞が発生するとか、海水浴場周辺の道路には夏季休暇時期に渋滞が発生する等の統計的渋滞情報、気象庁が作成する天気予報等の気象情報等も格納することが望ましい。
【００２５】
そして、前記ＰＩＭデータベース２１には、一人毎の操作者に対応する個人ファイルが作成され格納されており、該個人ファイルのそれぞれには各操作者のスケジュール、予定表、カレンダー、住所録、電話帳等の情報が格納されている。なお、前記個人ファイルは、あらかじめ登録された操作者毎に作成されるが、情報端末毎に作成されるようにしてもよいし、前記操作者が複数の登録ＩＤを所有する場合、登録ＩＤ毎に作成されるようにしてもよい。
【００２６】
なお、前記地図データベース１７、ＰＯＩデータベース１８、道路データベース１９、交通情報データベース２０、ＰＩＭデータベース２１等が格納される情報提供サーバ１１の記憶手段は、情報提供サーバ１１の内部記憶媒体であってもよいし、外部記憶媒体であってもよい。この場合、前記内部記憶媒体及び外部記憶媒体は、磁気テープ、磁気ディスク、磁気ドラム、ＣＤ−ＲＯＭ、ＭＤ、ＤＶＤ−ＲＯＭ、ＤＶＤ−ＲＡＭ、光ディスク、ＭＯ、ＩＣカード、光カード、スティック状メモリ、メモリカード等いかなる種類のものであってもよい。
【００２７】
また、前記情報提供部１３は、前記地図情報に基づいて地図を描画する地図作成部２２、前記ＰＯＩデータベース１８に格納された情報に基づいて目的地のような所定の地点の座標情報、名称、住所等の地点情報を検索するＰＯＩ検索部２３、及び、前記道路データベース１９、交通情報データベース２０等に格納された情報に基づいて現在位置から目的地までの経路を探索する経路探索部２４を有する。
【００２８】
さらに、前記情報提供部１３は、前記情報端末１２ａ、１２ｂから受信した情報に基づいて各操作者のスケジュール、予定表、カレンダー、住所録、電話帳等の作成や更新を行ったり、前記スケジュール、予定表、カレンダー、住所録、電話帳等に含まれる情報を抽出したりするＰＩＭ処理部２５、及び、前記情報端末１２ａ、１２ｂからの要求に対応して、該情報端末１２ａ、１２ｂに送信するための情報を編集したり作成したりする送信情報作成部２６を有する。
【００２９】
そして、前記情報提供部１３は、図示されない目的地設定部、到着予測時刻算出部、比較部等を有するとともに、ＰＩＭプログラム、経路探索用プログラム等の各種プログラムを格納する。ここで、前記ＰＩＭプログラムは、携帯情報端末、ＰＤＡ、パーソナルコンピュータ等において一般的に利用されている個人のスケジュール、予定表、カレンダー、住所録、電話帳等を管理するためのプログラムである。
【００３０】
この場合、目的地設定部は、目的地、通過地点等の位置情報がスケジュール、予定表、カレンダー等に登録されている時に、前記位置情報に基づいて目的地設定を行う。また、到着予測時刻算出部は、経路探索部２４によって探索された経路の情報、例えば、道路区間毎の所要時間データの和に基づいて、前記目的地に到着するであろう時刻、すなわち、到着予測時刻を算出する。なお、前記到着予測時刻算出部は、一定時間毎に到着予測時刻を更新するものであってもよい。この際、交通情報データベース２０に格納された最新の渋滞情報、交通規制情報なども加味して、到着予測時刻を算出し直すようにしてもよい。そして、比較部は、前記到着予測時刻と到着希望時刻とを比較する。
【００３１】
一方、前記情報端末１２ａ、１２ｂは、前記情報提供サーバ１１と前記スケジュール、予定表、カレンダー、住所録、電話帳等に含まれる情報やその他の情報の送受信を行う、図示されない送受信部及び表示制御装置を有する。ここで、該表示制御装置は、表示装置に前記情報提供サーバ１１から送信されたカレンダー及び地図を表示させ、該地図上に前記情報端末１２ａ、１２ｂの現在位置、目的地、周辺施設等を表示させる。さらに、前記到着希望時刻、到着予測時刻、目的地の名称、住所等の情報も表示させることが望ましい。
【００３２】
ここで、本実施の形態においては、情報提供サーバ１１が、地図データベース１７、ＰＩＭデータベース２１等のデータベース及び経路探索部２４、ＰＩＭ処理部２５等の手段を有し、情報端末１２ａ、１２ｂからの要求に応じて経路探索や、予定表、カレンダー、住所録、電話帳等の作成、更新等を行い、その結果を前記情報端末１２ａ、１２ｂに送信するようになっているので、前記情報端末１２ａ、１２ｂの構成を簡素化することができる。そのため、前記情報端末１２ａ、１２ｂを小型軽量化することが可能となり、製造コストを低くすることができる。
【００３３】
なお、前記情報端末１２ａ、１２ｂが前記地図データベース１７等のデータベース及び経路探索部２４等の手段を有し経路探索等を行うようにすることもできる。この場合、前記情報提供サーバ１１の構成を簡素化することができ、運営コストを低くすることができる。
【００３４】
さらに、ＰＯＩデータベース１８、道路データベース１９、交通情報データベース２０、ＰＩＭデータベース２１、ＰＯＩ検索部２３、ＰＩＭ処理部２５、目的地設定部、到着予測時刻算出部、比較部等も、情報提供サーバ１１ではなく、情報端末１２ａ、１２ｂが有するようにすることもできる。この場合、前記情報提供サーバ１１は不要となる。
【００３５】
次に、前記構成の情報表示システムの動作について説明する。
【００３６】
ここでは、情報提供サーバ１１が、地図データベース１７、ＰＩＭデータベース２１等のデータベース及び経路探索部２４、ＰＩＭ処理部２５等の手段を有し、情報端末１２ａからの要請に応じて経路探索や、予定表、カレンダー等の作成、更新等を行い、その結果を情報端末１２ｂに送信するようになっている場合について説明する。この場合、前記情報端末１２ａは携帯電話機又はＰＨＳ電話機であり、前記情報端末１２ｂは車両に搭載されるナビゲーション装置であると想定する。また、同一の操作者が前記情報端末１２ａ及び情報端末１２ｂを操作するものとする。
【００３７】
図１は本発明の第１の実施の形態における情報端末の表示画面を示す第１の図、図３は本発明の第１の実施の形態における情報端末の表示画面におけるカーソルの拡大図、図４は本発明の第１の実施の形態における情報端末の表示画面を示す第２の図、図５は本発明の第１の実施の形態における情報端末の表示画面を示す第３の図、図６は本発明の第１の実施の形態における情報端末の表示画面を示す第４の図、図７は本発明の第１の実施の形態における情報端末の表示画面を示す第５の図である。
【００３８】
まず、操作者は情報端末１２ａを操作して、将来の、例えば、次の１ヶ月間の自己の予定、すなわち、スケジュールを入力する。なお、該スケジュールには、仕事、勉強、趣味、ドライブ、旅行、レジャー、スポーツ、外食、見物等のスケジュールが含まれるが、本実施の形態においては、ドライブ、旅行、レジャー、スポーツ、外食、見物等のように、特定の場所、行き先、施設等の地点を日時と関連付けて設定するスケジュールについて説明する。
【００３９】
この場合、前記操作者は前記情報端末１２ａに格納されているＰＩＭプログラムを起動させ、スケジュール入力画面を前記情報端末１２ａの表示装置に表示させる。なお、前記ＰＩＭプログラムが前記情報端末１２ａに格納されていない場合、前記操作者は、前記情報端末１２ａからネットワーク２７を介して情報提供サーバ１１にアクセスし、該情報提供サーバ１１に格納されているＰＩＭプログラムを起動させ、スケジュール入力画面を取得して、前記情報端末１２ａの表示装置に表示させる。
【００４０】
そして、前記操作者は、前記スケジュール入力画面に、日時、地点、行動予定、メモ等の事項を入力する。この場合、前記スケジュール入力画面に、日時、地点、行動予定、メモ等の事項のそれぞれに対応した入力欄が表示され、前記操作者は前記入力欄にそれぞれの事項を入力する。なお、情報提供サーバ１１のＰＩＭ処理部２５が自然語で記載された文章から前記事項に関するキーワードを抽出する機能を有する場合、前記操作者は、前記スケジュール入力画面にメモ書きや覚え書きのような文章の形態で前記事項を入力することもできる。これにより、前記地点、行動予定、メモ等が日付と関連付けて入力される。
【００４１】
ここで、前記日時は日付だけであってもよいし、前記地点には厳密な住所や位置座標等の情報が含まれていなくてもよい。また、行動予定、メモ等は省略されてもよい。
【００４２】
続いて、前記操作者は情報端末１２ａを操作して、入力された前記事項をネットワーク２７を介して情報提供サーバ１１に送信する。すると、送受信部１４が前記情報端末１２ａからの送信情報を受信する。この時、端末特定部１６は、前記送信情報に含まれるＩＤキーを抽出し、前記情報端末１２ａに対応するＰＩＭデータベース２１に格納されている個人ファイルを特定する。ここでは、個人ファイルは、前記操作者に対応して作成されているものとし、前記ＩＤキーは前記操作者を特定するための情報であるとする。
【００４３】
また、ＰＩＭ処理部２５は、前記送信情報から日時、地点、行動予定、メモ等の事項を抽出する。この場合、前記ＰＩＭ処理部２５は、ＰＯＩ検索部２３にアクセスし、前記地点の位置座標を取得する。そして、前記ＰＩＭ処理部２５は、ＰＩＭデータベース２１に格納されている個人ファイルの中から、前記端末特定部１６において特定された個人ファイルを選択してアクセスし、該個人ファイルに前記事項を格納する。この場合、本実施の形態においては、前記日時から日付が抽出され、前記日時、地点（位置座標を含む）、行動予定、メモ等の事項が、日付と関連付けて登録される。これにより、操作者の入力したスケジュールが、ＰＩＭデータベース２１に格納されている前記操作者に対応する個人ファイルに登録される。
【００４４】
次に、前記操作者は情報端末１２ｂを操作して、例えば、次の１ヶ月間の自己のスケジュールを確認する。この場合、前記操作者は情報端末１２ｂから、ネットワーク２７を介して情報提供サーバ１１に、スケジュールの要求を送信する。すると、送受信部１４が前記情報端末１２ｂからの送信情報を受信する。この時、端末特定部１６は、前記送信情報に含まれるＩＤキーを抽出し、前記情報端末１２ｂに対応するＰＩＭデータベース２１に格納されている個人ファイルを特定する。ここでは、前述されたように、個人ファイルは、前記操作者に対応して作成されているので、前記ＩＤキーは前記操作者を特定するための情報である。
【００４５】
そして、ＰＩＭ処理部２５は、特定された前記個人ファイルから次の１ヶ月間のスケジュールに関する事項を抽出する。ここで、該事項は、日付と関連付けて登録されている前記操作者の地点、行動予定、メモ等の事項である。すると、前記事項は、送信情報作成部２６においてデータ変換された後、送受信部１４から前記情報端末１２ｂに送信される。なお、ＰＩＭプログラムが前記情報端末１２ｂに格納されていない場合、前記事項に前記ＰＩＭプログラムが添付されて送信される。
【００４６】
続いて、前記事項を受信した情報端末１２ｂの表示制御装置は、前記事項を含むスケジュールを表示装置に、図１に示されるように、スケジュール表示画面３０として表示させる。ここで、該スケジュール表示画面３０には、次の１ヶ月、例えば、２００１年７月を示すカレンダー３７が表示される。さらに、前記スケジュール表示画面３０には、該スケジュール表示画面３０のタイトル３１、現在時刻（時／分）３２、前記スケジュールの最終更新が行われた日時である最終更新日時（年／月／日／時／分）３３、前記カレンダー３７の示す月（年／月）３４が含まれる。
【００４７】
そして、３５は後述されるカーソル３９が示す日の情報を表示する日付情報、３６はスケジュール表示画面３０に表示可能な他の事項、例えば、登録地点、メモ等を示すタグ（識別子）である。また、３８は前記カレンダー３７の各日付に対応する枠内に表示されるアイコンであり、行き先や行動予定が該当する日付と関連付けて登録されていることを示している。
【００４８】
ここで、本実施の形態において、カーソル３９は、図３に示されるように各日付に対応する枠を縁取りするように、すなわち、前記枠が太く示されるようになっている。そして、前記カーソル３９は、操作者が情報端末１２ｂの入力装置を操作して、移動させることがことができるようになっている。例えば、ジョイスティック、十字キー等を操作して、カーソル３９を上下左右に移動させてもよいし、日付を示す数字を入力させて移動させてもよいし、表示装置がタッチパネルである場合、日付を示す枠にタッチして移動させてもよい。この場合、前記カーソル３９は７月１５日を示している。そして、７月１５日の枠内には、行き先や行動予定が登録されていることを示すアイコン３８が表示されている。
【００４９】
また、前記カーソル３９がカレンダー３７の最上段に位置する状態で、前記カーソル３９をさらに上方に移動させようとすると、前の月、すなわち、６月のカレンダーが表示され、前記カーソル３９がカレンダー３７の最下段に位置する状態で、前記カーソル３９をさらに下方に移動させようとすると、次の月、すなわち、８月のカレンダーが表示されるようになっている。
【００５０】
続いて、前記カーソル３９の示す日付、すなわち、７月１５日を、クリック等の操作によって指定すると、情報端末１２ｂの表示制御装置は、前記日付に関連付けられて登録されている地点に対応する地図としての地図表示画面４０を図１に示されるように、表示装置に表示させる。この場合、前記スケジュール表示画面３０及び地図表示画面４０が、上下又は左右に並んで、同時に表示されることが望ましいが、前記表示装置の画面サイズが小さい場合には、順次表示されるようにしてもよい。
【００５１】
ここで、前記情報端末１２ｂが記憶装置に地図情報を格納し、地図作成部を有している場合、前記情報端末１２ｂは前記地図を即時に作成して表示装置に表示する。また、前記情報端末１２ｂが地図情報を格納しておらず、地図作成部を有していない場合、前記情報端末１２ｂは、ネットワーク２７を介して情報提供サーバ１１に、前記地図の要求を前記地点とともに送信する。すると、情報提供サーバ１１の地図作成部２２は、地図データベース１７にアクセスして、前記行き先に対応する地図を作成する。そして、該地図が送信情報作成部２６においてデータ変換された後、送受信部１４から前記情報端末１２ｂに送信され、該情報端末１２ｂの表示装置に表示される。
【００５２】
なお、前記地図作成部２２が、前記操作者の入力したスケジュールが個人ファイルに登録された時点で、あらかじめ地図を作成するようにしてもよい。この場合、ＰＩＭ処理部２５は、前記行き先を抽出して、地図作成部２２に送信する。そして、前記地点に対応する地図が作成されると、前記ＰＩＭ処理部２５は、ＰＩＭデータベース２１中の前記操作者の個人ファイルに前記地図を前記地点及び日付に関連付けて格納する。これにより、情報端末１２ｂからの要求に応じてスケジュールに関する事項を前記情報端末１２ｂに送信する際に、あらかじめ作成された地図も送信することができる。そのため、前記情報端末１２ｂが地図情報を格納しておらず、地図作成部を有していない場合でも、前記情報端末１２ｂは、前記地点に対応する地図を地図表示画面４０として、即座に表示することができる。
【００５３】
また、前記地点の周辺の施設を検索して前記地図表示画面４０に表示するようにしてもよい。この場合、例えば、前記行動予定に関連する施設の種類を操作者が入力すると、前記地点の周辺に存在する前記種類の施設を検索する。そして、前記情報端末１２ｂが記憶装置にＰＯＩ情報を格納し、ＰＯＩ検索部を有している場合、前記情報端末１２ｂは前記地点の周辺の施設を検索して表示装置に表示する。
【００５４】
一方、前記情報端末１２ｂがＰＯＩ情報を格納しておらず、ＰＯＩ検索部を有していない場合、前記情報端末１２ｂは、ネットワーク２７を介して情報提供サーバ１１に、前記地点とともに施設検索の要求を送信する。すると、情報提供サーバ１１のＰＯＩ検索部２３は、ＰＯＩデータベース１８にアクセスして、前記地点の周辺の施設を検索する。そして、検索された施設が送信情報作成部２６においてデータ変換された後、送受信部１４から前記情報端末１２ｂに送信され、該情報端末１２ｂの表示装置に表示される。
【００５５】
なお、前記ＰＯＩ検索部２３が、前記操作者の入力したスケジュールが個人ファイルに登録された時点で、あらかじめ施設を検索するようにしてもよい。この場合、ＰＩＭ処理部２５は、前記地点及び行動予定を抽出して、ＰＯＩ検索部２３に送信する。そして、前記地点の周辺に存在し、行動予定に関連する種類の施設が検索されると、前記ＰＩＭ処理部２５は、ＰＩＭデータベース２１中の前記操作者の個人ファイルに前記施設を前記地点及び日付に関連付けて格納する。これにより、情報端末１２ｂからの要求に応じてスケジュールに関する事項を前記情報端末１２ｂに送信する際に、あらかじめ検索された施設も送信することができる。そのため、前記情報端末１２ｂがＰＯＩ情報を格納しておらず、ＰＯＩ検索部を有していない場合でも、前記情報端末１２ｂは、前記地点の周辺の施設を地図表示画面４０上に、即座に表示することができる。
【００５６】
さらに、前記地点までの経路を探索して前記地図表示画面４０に表示するようにしてもよい。この場合、通常、経路の目的地を前記地点とし、出発地を自宅として経路探索を行うが、前記目的地及び出発地を任意に指定することもできる。そして、前記情報端末１２ｂが記憶装置に道路情報等を格納し、経路探索部を有している場合、前記情報端末１２ｂは前記地点までの経路を探索して表示装置に表示する。
【００５７】
一方、前記情報端末１２ｂが道路情報等を格納しておらず、経路探索部を有していない場合、前記情報端末１２ｂは、ネットワーク２７を介して情報提供サーバ１１に、前記地点とともに経路探索の要求を送信する。すると、情報提供サーバ１１の経路探索部２４は、道路データベース１９にアクセスして、前記地点までの経路を探索する。そして、探索された経路が送信情報作成部２６においてデータ変換された後、送受信部１４から前記情報端末１２ｂに送信され、該情報端末１２ｂの表示装置に表示される。
【００５８】
なお、前記経路探索部２４が、前記操作者の入力したスケジュールが個人ファイルに登録された時点で、あらかじめ経路を探索するようにしてもよい。この場合、ＰＩＭ処理部２５は、前記地点を抽出して、経路探索部２４に送信する。そして、前記地点に対応する経路が探索されると、前記ＰＩＭ処理部２５は、ＰＩＭデータベース２１中の前記操作者の個人ファイルに前記経路を前記地点及び日付に関連付けて格納する。これにより、情報端末１２ｂからの要求に応じてスケジュールに関する事項を前記情報端末１２ｂに送信する際に、あらかじめ探索された経路も送信することができる。そのため、前記情報端末１２ｂが道路情報を格納しておらず、経路探索部を有していない場合でも、前記情報端末１２ｂは、前記地点までの経路を地図表示画面４０上に、即座に表示することができる。
【００５９】
ここで、前記経路探索部２４は、経路を探索する際に交通情報データベース２０にアクセスして、交通情報データベース２０に格納されている渋滞情報、交通規制情報等の交通情報を考慮して経路を探索してもよい。さらに、前記経路探索部２４は、蓄積された統計的情報や予定されているイベント情報に基づいて渋滞の発生等を予測して経路を探索してもよい。例えば、駅周辺や大型商業施設周辺の道路であり、週末を除く毎日の特定時刻、例えば、夕刻に渋滞が発生することが統計的に確認されている道路を通過する予定時刻が前記特定時刻になる場合には、前記道路を避ける経路を探索するようにする。また、祭り、パレード、花火大会等のイベントが予定されている場所の周辺は、渋滞が予測されるので、前記場所周辺の道路を避ける経路を探索するようにする。
【００６０】
さらに、前記経路探索部２４は、交通情報データベース２０に格納されている天気予報等の気象情報に基づいて経路を探索してもよい。例えば、大雨が予想されている場合には、スリップ事故の多発する山道を避ける経路を探索するようにしてもよい。
【００６１】
なお、前記情報端末１２ｂが記憶装置に渋滞情報、交通規制情報等の交通情報、蓄積された統計的情報や予定されているイベント情報、天気予報等の気象情報等を格納し、経路探索部を有している場合、前記情報端末１２ｂは、情報提供サーバ１１に経路探索の要求を送信することなく、前記交通情報、統計的情報、イベント情報、気象情報等を考慮して、経路を探索することができる。
【００６２】
また、操作者がカーソル３９の示す日付を指定すると、情報端末１２ｂは、登録されている地点に対応する地図を表示装置に表示するとともに、前記日付に対応する渋滞情報、交通規制情報等の交通情報を地図上の道路に表示することもできる。
【００６３】
この場合、前記情報端末１２ｂは、情報提供サーバ１１に、前記地点とともに交通情報の要求を送信する。すると、情報提供サーバ１１の経路探索部２４は、交通情報データベース２０にアクセスして、前記地点の周辺道路に関する蓄積された統計的情報や、予定されているイベント情報に基づいて渋滞の発生、交通規制等の交通情報を予測する。この場合、前記日付に対応する曜日、季節、行動予定に含まれる時刻等を考慮して、渋滞の発生、交通規制等の交通情報を予測する。そして、前記日付に対応する予測された交通情報が送信情報作成部２６においてデータ変換された後、送受信部１４から前記情報端末１２ｂに送信され、該情報端末１２ｂの表示装置に表示される。
【００６４】
また、ＰＩＭデータベース２１中の前記操作者の個人ファイルに前記予測された交通情報を前記地点及び日付に関連付けて格納することもできる。
【００６５】
なお、前記情報端末１２ｂが記憶装置に渋滞情報、交通規制情報等の交通情報、蓄積された統計的情報や予定されているイベント情報等を格納している場合、前記情報端末１２ｂは、情報提供サーバ１１に、交通情報の要求を送信することなく、前記渋滞の発生、交通規制等の交通情報を予測することができる。
【００６６】
また、操作者がカーソル３９の示す日付を指定すると、情報端末１２ｂは、登録されている地点に対応する地図を表示装置に表示するとともに、前記日付に対応する天気予報を地図上の道路に表示することもできる。
【００６７】
この場合、前記情報端末１２ｂは、情報提供サーバ１１に、前記地点とともに交通情報の要求を送信する。すると、情報提供サーバ１１の経路探索部２４は、交通情報データベース２０にアクセスして、前記地点の周辺の地域に関する天気予報等の気象情報を取得する。そして、前記日付に対応する気象情報が送信情報作成部２６においてデータ変換された後、送受信部１４から前記情報端末１２ｂに送信され、該情報端末１２ｂの表示装置に表示される。
【００６８】
また、ＰＩＭデータベース２１中の前記操作者の個人ファイルに前記気象情報を前記地点及び日付に関連付けて格納することもできる。
【００６９】
なお、前記情報端末１２ｂが記憶装置に天気予報等の気象情報等を格納している場合、前記情報端末１２ｂは、情報提供サーバ１１に、交通情報の要求を送信することなく、前記気象情報を表示装置に表示することができる。
【００７０】
このように、日付が指定されると、該日付と関連付けられた地点の周辺の該日付に対応する交通情報や天気予報が表示装置に表示されるので、操作者は、スケジュールを確認したり変更したりする場合に、前記交通情報や天気予報を参考にすることができる。
【００７１】
また、操作者が地図表示画面４０に表示されている地図上の道路を指定すると、該道路に関する交通情報がカレンダー３７に表示されるようにすることもできる。
【００７２】
この場合、前記情報端末１２ｂは、情報提供サーバ１１に、前記道路の道路データとともに交通情報の要求を送信する。すると、情報提供サーバ１１の経路探索部２４は、交通情報データベース２０にアクセスして、前記道路に関する蓄積された統計的情報や予定されているイベント情報に基づいて渋滞の発生、交通規制等の交通情報を予測する。そして、前記道路に関して渋滞の発生や交通規制等が予測される場合、前記渋滞の発生や交通規制等が予測される日付を抽出する。そして、前記日付が送信情報作成部２６においてデータ変換された後、送受信部１４から前記情報端末１２ｂに送信され、該情報端末１２ｂの表示装置に表示される。
【００７３】
例えば、前記操作者が指定した道路周辺の地区において夏祭りの開催が７月３日に予定されているとすると、７月３日に前記道路に渋滞が発生することが予測される。この場合、図１に示されるように、７月３日に対応する枠内の表示が変化する。これにより、前記操作者は７月３日に前記道路に渋滞が発生することを把握することができるので、必要に応じて、予定を変更したりすることができる。
【００７４】
次に、前記操作者があらかじめ入力したスケジュールを変更する場合の動作について説明する。
【００７５】
この場合、操作者は、図１においてカーソル３９を指定する日付、例えば、７月１３日に対応する枠に移動させて、カーソル３９をクリックしたり、入力装置の所定のボタンを操作して、同日の行動予定を確認する。すると、スケジュール表示画面３０が、図４に示されるように変更される。そして、前記スケジュール表示画面３０には、タイトル３１、現在時刻３２、最終更新日時３３が含まれる。
【００７６】
また、４４は指定された日付を示す日付表示（日／時）、４５は行動予定に関する情報表示欄、４６はスケジュール表示画面３０に表示可能な他の事項、例えば、メモ等を示すタグである。そして、４７は行動予定記入欄であり、行動予定の具体的内容が記入される。さらに、４８は新規作成アイコン、４９は予定変更アイコンであり、前記行動予定記入欄４７に表示される。そして、前記新規作成アイコン４８をクリックする等して選択すると、行動予定を新規作成するための画面が表示され、また、前記予定変更アイコン４９を選択すると、行動予定を変更するための画面が表示されるようになっている。
【００７７】
ここで、前記操作者が予定変更アイコン４９をクリックする等して選択すると、図５に示されるような予定変更画面５０が表示される。なお、図５において、該予定変更画面５０は、表示装置の画面サイズ一杯に表示されているが、図１又は図４に示されるように、地図表示画面４０と並べて表示されるようにしてもよい。
【００７８】
そして、前記予定変更画面５０には、表示可能な事項、例えば、行き先の変更、編集、オプション等を示すタグ５２が表示され、前記行き先の変更を選択すると、行き先変更アイコン５３、予定削除アイコン５４、及び、日付変更アイコン５５が表示される。ここで、前記行き先変更アイコン５３をクリックする等して選択すると、目的地を設定するための画面が表示され、また、前記予定削除アイコン５４を選択すると、予定を削除してよいのかを確認するための画面が表示されるようになっている。
【００７９】
また、前記日付変更アイコン５５を選択すると、日付を入力するための画面、又は、図６に示されるようなカレンダー３７が表示される。そして、前記日付を入力するための画面の場合には、新たな日付を示す数字を入力する。また、前記カレンダー３７の場合には、図６に示されるように、カーソル３９を移動させることによって、日付を変更するようになっている。
【００８０】
なお、前記編集を示すタグ５２をクリックする等して選択すると、予定変更画面５０が図７に示されるように変更される。そして、該予定変更画面５０には、名称を入力する名称入力欄６３、電話番号を入力する電話番号入力欄６４、メモを入力するメモ入力欄６５、及び、アイコンを選択するアイコン選択欄６６が表示される。
【００８１】
ここで、前記名称入力欄６３を選択すると５０音入力パレットが表示され、音を一つずつ選択することによって、名称を入力するようになっている。そして、前記電話番号入力欄６４を選択すると数字入力パレットが表示され、数字を一つずつ選択することによって、電話番号を入力するようになっている。また、前記メモ入力欄６５を選択すると５０音入力パレットが表示され、音を一つずつ選択することによって、メモを入力するようになっている。さらに、前記アイコン選択欄６６を選択するとアイコン選択画面が表示され、アイコンを選択するようになっている。
【００８２】
なお、本実施の形態においては、情報端末１２ａを操作してスケジュールの入力を行い、情報端末１２ｂを操作して前記スケジュールを確認する場合について説明したが、前記情報端末１２ｂを操作してスケジュールの入力を行い、前記情報端末１２ａを操作して前記スケジュールを確認することもできる。また、スケジュールの入力及び確認を同一の情報端末を操作して行うこともできる。そして、該情報端末が、ＰＯＩデータベース１８、道路データベース１９、交通情報データベース２０、ＰＩＭデータベース２１、ＰＯＩ検索部２３、ＰＩＭ処理部２５、目的地設定部、到着予測時刻算出部、比較部等も有する場合には、情報提供サーバ１１にアクセスすることなく、スケジュールの入力及び確認を行うことができる。
【００８３】
さらに、本実施の形態においては、将来のスケジュールを確認する場合について説明したが、ＰＩＭデータベース２１に格納された情報を消去しなければ、過去のものとなってしまったスケジュールを確認することができる。さらに、既に実行した過去のドライブ、旅行、レジャー、スポーツ、外食、見物等に関する特定の場所、行き先、施設等の地点を日付とともに入力すれば、本実施の形態における情報表示システムを過去の記録を表示させるために使用することもできる。
【００８４】
このように、本実施の形態においては、スケジュールを入力する時に、特定の場所、行き先、施設等の地点を日付と関連付けてあらかじめ登録しておくと、前記スケジュールを確認する時にカレンダー３７及び地図が表示される。そして、該カレンダー３７に表示された日付を選択すると、該日付に関連付けられた地点に対応する地図が表示されるようになっている。
【００８５】
そのため、操作者は予定を立てたドライブ、旅行、レジャー、スポーツ、外食、見物等のように、特定の場所、行き先、施設等の地点の地図上の位置を容易に把握することができる。また、前記地点の周辺の施設や道路の状況等も同時に把握することができる。
【００８６】
さらに、本実施の形態においては、前記地点までの経路を探索して表示したり、前記地点周辺の前記日付における予測される交通情報や天気予報を表示することができる。このように、日付が指定されると、該日付に関連付けられた地点の周辺の該日付に対応する交通情報や天気予報が表示装置に表示されるので、操作者は、スケジュールを確認したり変更したりする場合に、前記交通情報や天気予報を参考にすることができる。
【００８７】
また、操作者が地図上の道路を指定すると、該道路に対応する交通情報がカレンダー３７に表示されるようにすることもできる。これにより、操作者は、前記道路に渋滞が発生する日付を避けるように予定を作成したり変更したりすることができる。
【００８８】
さらに、本実施の形態においては、情報端末１２ａに入力されたスケジュールに基づいて、情報端末１２ｂの表示装置にカレンダー３７及び地図が表示されるようになっている。そのため、パーソナルコンピュータ、電子手帳、携帯電話機等に入力されている操作者自身のスケジュールに基づいて、カレンダー３７及び地図をナビゲーション装置の表示装置に表示させることができるので、ナビゲーション装置を操作することなく日付や目的地を入力することができる。
【００８９】
次に、本発明の第２の実施の形態について説明する。なお、前記第１の実施の形態と同じ構造を有するもの及び同じ動作については、説明を省略する。
【００９０】
図８は本発明の第２の実施の形態における情報端末の表示画面を示す第１の図、図９は本発明の第２の実施の形態における情報端末の表示画面を示す第２の図である。
【００９１】
本実施の形態においては、現在の日時に基づいて、最直近の次のスケジュール項目に関連付けられた地点に対応する地図が表示装置に表示されるようになっている。これにより、操作者はスケジュール項目に対応する場所、行き先、施設等の地点の地図上の位置を容易に把握することができる。また、前記地点の周辺の施設や道路の状況等も同時に把握することができる。
【００９２】
ここで、情報端末１２ｂの表示装置には、図８に示されるように、スケジュール表示画面７０及び地図表示画面８０が表示されている。この場合、前記スケジュール表示画面７０には、現在の日付に対応する１ヶ月、例えば、２００１年９月を示すカレンダー７４が表示される。さらに、前記スケジュール表示画面７０には、現在日時（年／月／日／時／分）７１、スケジュールの最終更新が行われた日時である最終更新日時（年／月／日／時／分）７２、前記カレンダー７４の示す月（年／月）７３が含まれる。また、前記地図表示画面８０には、情報端末１２ｂの現在位置周辺の地図８１が表示される。該地図８１には現在位置マーク８２が含まれる。
【００９３】
そして、前記カレンダー７４においては、現在の日付、すなわち、本日に対応する日付を示す枠にカーソル７５が位置している。この状態で、操作者がクリック等の操作を行って前記本日に対応する日付を選択すると、情報端末１２ｂの表示装置には、図９に示されるように、本日のスケジュール項目７７の一覧表示としてのスケジュール詳細表示７６が表示される。図８に示される例では、現在日時７１から本日が９月１３日であり、カーソル７５が９月１３日を示す枠に位置していることが分かる。
【００９４】
ここで、前記スケジュール詳細表示７６は、複数、例えば、三つのスケジュール項目７７ａ、７７ｂ及び７７ｃを含んでいるが、現在の日時に最直近の次のスケジュール項目であるスケジュール項目７７ｂの枠にカーソル７８が位置している。すなわち、図９に示される例では、現在日時７１から現在の日時が２００１年９月１３日１４時１７分であるので、スケジュール項目７７ａは現在の日時において過去のものであり、スケジュール項目７７ｂは現在の日時に最直近の次のスケジュール項目であり、スケジュール項目７７ｃは現在の日時に２番目に近い次のスケジュール項目であることが分かる。したがって、スケジュール項目７７ｂが現在の日時に最直近の次のスケジュール項目として選択され、カーソル７８によって特定される。これにより、操作者は現時点において次に行うべきスケジュール項目７７ｂを明確に認識することができる。
【００９５】
また、情報端末１２ｂの表示装置には、現在の日時に最直近の次のスケジュール項目７７ｂに対応する地点を含む地図８３が表示される。そして、該地図８３には前記位置を示すマーク８４が含まれる。図９に示される例では、現在の日時に最直近の次のスケジュール項目７７ｂは会議であるので、前記マーク８４は会議の開催される地点を示している。
【００９６】
なお、操作者がクリック等の操作を行って本日に対応する日付を選択しなくても、前記地図表示画面８０に現在の日時に最直近の次のスケジュール項目７７ｂが自動的に検索されて表示され、かつ、該スケジュール項目７７ｂに対応する地点を含む地図８３が自動的に表示されるようにしてもよい。この場合、現在位置周辺の地図８１に代えて、現在日時７１に基づいて、最直近の次のスケジュール項目７７ｂに対応する地点を含む地図８３が自動的に表示されるので、操作者は何ら操作を行うことなく、次に行うべきスケジュール項目７７ｂに対応する地点を明確に把握することができる。
【００９７】
ここで、現在の日付、すなわち、本日に何らスケジュール項目が入力されていない場合、前記本日に最直近の日付のスケジュール項目７７が自動的に検索されて表示され、かつ、該スケジュール項目７７に対応する地点を含む地図８３が自動的に表示される。例えば、次の日の一番早い時刻のスケジュール項目７７ａ及び該スケジュール項目７７ａに対応する地点を含む地図８３が自動的に表示される。
【００９８】
ところで、図８に示されるようなスケジュール表示画面７０において、操作者がカーソル７５を本日に対応する日付以外の所望の日付に移動させ、クリック等の操作を行って前記所望の日付を選択した場合には、所望の日付に対応するスケジュール項目７７の一覧表示としてのスケジュール詳細表示７６が表示される。そして、地図表示画面８０には前記スケジュール詳細表示７６に含まれるスケジュール項目７７に対応する地点を含む地図８３が表示される。
【００９９】
なお、前記スケジュール詳細表示７６が複数のスケジュール項目７７を含む場合、すなわち、図９に示されるように複数のスケジュール項目７７ａ、７７ｂ及び７７ｃが含まれる場合には、例えば、一番目のスケジュール項目７７ａに対応する地点を含む地図８３が表示されるようにすることが望ましい。そして、操作者がカーソル７８を所望のスケジュール項目７７に移動させ、クリック等の操作を行って前記所望のスケジュール項目７７を選択した場合には、該所望のスケジュール項目７７に対応する地点を含む地図８３が表示されるようになっている。これにより、操作者は所望の日におけるスケジュール詳細表示７６を把握することができ、かつ、所望のスケジュール項目７７に対応する地点を明確に把握することができる。また、一日に複数のスケジュール項目７７がある場合でも、所望のスケジュール項目７７及び該スケジュール項目７７に対応する地点を把握することができる。
【０１００】
さらに、前記所望の日付に対応するスケジュール詳細表示７６が複数のスケジュール項目７７を含む場合、該スケジュール項目７７のそれぞれに対応する地点をすべて含む地図を表示させるようにしてもよい。例えば、図９に示されるように複数のスケジュール項目７７ａ、７７ｂ及び７７ｃが含まれる場合には、地図８３にスケジュール項目７７ａに対応する地点、スケジュール項目７７ｂに対応する地点、及び、スケジュール項目７７ｃに対応する地点をすべて表示させるようにする。
【０１０１】
なお、それぞれの地点の距離が離れている場合には、地図の縮尺を変更して、すべての地点が同一の地図に含まれるようにする。例えば、スケジュール項目７７ａに対応する地点である○○社とスケジュール項目７７ｃに対応する地点である△△駅との距離が離れている場合、前記○○社と△△駅とが同一の地図表示画面８０に含まれて表示されるように地図８３の縮尺を変更して表示する。この場合、操作者は、前記所望の日付のスケジュール項目７７に対応する地点を一度に把握することができ、前記所望の日付において予定されている移動状況の概略を容易に把握することができる。
【０１０２】
このように、本実施の形態においては、現在の日時に基づいて、自動的に最直近の次のスケジュール項目７７ｂ、及び、該スケジュール項目７７ｂに対応する地点を含む地図８３が表示されるようになっている。これにより、操作者は、何ら操作を行うことなく、次に行うべきスケジュール項目７７ｂの内容、及び、該スケジュール項目７７ｂに対応する場所、行き先、施設等の地点を容易に把握することができる。
【０１０３】
また、所望の日付を選択すると、所望の日付に対応するスケジュール項目７７が一覧表示され、一覧表示された中から所望のスケジュール項目７７を選択すると、該スケジュール項目７７に対応する地点を含む地図８３が表示される。これにより、操作者は、所望の日付に対応するスケジュール項目７７の内容、及び、該スケジュール項目７７に対応する地点を容易に把握することができる。
【０１０４】
次に、本発明の第３の実施の形態について説明する。なお、前記第１及び第２の実施の形態と同じ構造を有するもの及び同じ動作については、説明を省略する。
【０１０５】
図１０は本発明の第３の実施の形態における情報端末の表示画面を示す第１の図、図１１は本発明の第３の実施の形態における情報端末の表示画面を示す第２の図、図１２は本発明の第３の実施の形態における情報端末の動作を示すフローチャートである。
【０１０６】
本実施の形態においては、情報端末が現在位置検出装置を有するものである場合、スケジュールに関連する事項として登録された地点に基づいて、前記現在位置検出装置が検出した現在位置を修正するようになっている。これにより、前記現在位置検出装置の精度が低い場合でも、正確な現在位置を地図上に表示することができる。
【０１０７】
ここで、入力されたスケジュールの詳細を情報端末１２ｂの表示装置に表示させると、図１０に示されるようなスケジュール詳細表示８５が表示される。なお、図１０において、スケジュール詳細表示８５は、表示装置の画面サイズ一杯に表示されているが、図１、図４、図８及び図９に示されるように、地図表示画面と並べて表示されるようにしてもよい。前記スケジュール詳細表示８５には、スケジュール項目に対応する日時を示す予定日時欄８６、スケジュール項目に対応する地点の名称を示す名称欄８８、スケジュール項目に関するメモを示すメモ欄８９、前記地点の住所を示す住所欄９０、参照すべき電話番号を示すＴＥＬ欄９１、及び、スケジュール項目が入力された日を示す入力日欄９２が含まれる。
【０１０８】
また、本実施の形態において、情報端末１２ｂの表示制御装置は、現在位置周辺の地図９５を、図１１に示されるように、表示装置に表示させる。なお、図１１において、地図９５は、表示装置の画面サイズ一杯に表示されているが、図１、図４、図８及び図９に示されるように、スケジュール表示画面と並べて表示されるようにしてもよい。なお、前記地図９５には現在位置マーク９６が含まれる。
【０１０９】
そして、前記情報端末１２ｂは、情報提供サーバ１１におけるＰＩＭ処理部２５は、ＰＩＭデータベース２１に格納されている個人ファイルの中から前記情報端末１２ｂの操作者の個人ファイルを選択してアクセスし、現在の時刻に対応するスケジュール項目が登録されているか否かをチェックする。
【０１１０】
ここで、図１０に示される例では、スケジュール項目に対応する日時が、２００１年９月１３日１６時００分であるので、前記ＰＩＭ処理部２５は、２００１年９月１３日１６時００分になるまで、現在の時刻に対応するスケジュール項目が登録されているか否かを繰り返しチェックする。そして、現在の時刻が２００１年９月１３日１６時００分になると、前記ＰＩＭ処理部２５は、現在の時刻に対応するスケジュール項目が登録されていると判断し、スケジュール項目に対応する地点の名称、すなわち、△△駅を抽出する。続いて、前記ＰＩＭ処理部２５は、ＰＯＩ検索部２３にアクセスして、前記スケジュール項目に対応する地点としての△△駅の位置座標を取得する。そして、該△△駅の位置座標は、前記情報端末１２ｂに送信される。
【０１１１】
すると、該情報端末１２ｂは、受信したスケジュール項目に対応する地点としての△△駅と現在位置検出装置が検出した現在位置との距離が所定値以下であるか否かを判断する。そして、所定値以下であると判断した場合、前記スケジュール位置が正しい現在位置であると推測し、現在位置を修正して、前記スケジュール位置に合致させる。これは、情報端末１２ｂのような情報端末の現在位置検出装置の検出した現在位置よりも、地図情報に基づくスケジュール項目に対応する地点の位置座標のほうが誤差が少ないと考えられ、スケジュール項目に対応する地点と現在位置検出装置が検出した現在位置との距離が所定値以下である場合、情報端末１２ｂは、実際には、スケジュール項目に対応する地点に存在していると推測することができるからである。すなわち、操作者はスケジュールに従って行動していると推測することができるからである。これにより、情報端末１２ｂの現在位置周辺の地図９５における現在位置マーク９６は、スケジュール項目に対応する地点としての△△駅の位置９７に修正する。
【０１１２】
また、スケジュール項目に対応する地点としての△△駅と現在位置検出装置が検出した現在位置との距離が所定値以下でないと判断した場合、情報端末１２ｂは、現在位置検出装置が検出した現在位置が正しい現在位置であると推測し、現在位置を修正しない。これは、スケジュール項目に対応する地点と現在位置検出装置が検出した現在位置との距離が所定値よりも大きい場合、情報端末１２ｂはスケジュール項目に対応する地点に存在していないと推測することができるからである。すなわち、操作者はスケジュールに従って行動していないと推測することができるからである。
【０１１３】
なお、前記情報端末１２ｂがＰＩＭ処理部２５、ＰＩＭデータベース２１、ＰＯＩ検索部２３等を有している場合には、前述された動作は、情報提供サーバ１１と通信することなく、すべて前記情報端末１２ｂ単独で行うことができる。
【０１１４】
次に、フローチャートについて説明する。
ステップＳ１  現在の時刻にスケジュール項目が登録されているか否かを判断する。登録されている場合はステップＳ２進み、登録されていない場合は登録されるまで繰り返しチェックする。
ステップＳ２  スケジュール項目に対応する地点と現在位置との距離が所定値以下であるか否かを判断する。所定値以下である場合はステップＳ３に進み、所定値以下でない場合はステップＳ４に進む。
ステップＳ３  スケジュール項目に対応する地点を現在位置と推測して現在位置を修正する。
ステップＳ４  現在位置検出装置が検出した位置を現在位置と推測する。
【０１１５】
このように、本実施の形態において、情報端末１２ｂが現在位置検出装置を有するものである場合、スケジュール項目に対応する地点に基づいて、前記現在位置検出装置が検出した現在位置を修正するようになっている。これにより、前記現在位置検出装置の精度が低い場合でも、正確な現在位置を地図上に表示することができ、操作者は、正確な現在位置を容易に把握することができる。
【０１１６】
なお、本発明は前記実施の形態に限定されるものではなく、本発明の趣旨に基づいて種々変形させることが可能であり、それらを本発明の範囲から排除するものではない。
【０１１７】
例えば、本発明は、情報を表示するためにコンピュータを、地図情報を格納する地図情報格納部、所定の地点及び日付を関連付けて入力する入力装置、前記地点及び日付を関連付けて格納するスケジュール情報格納部、カレンダー及び地図を表示する表示装置、並びに、前記カレンダーにおいて選択された日付に関連付けられた地点に対応する地図を前記表示装置に表示させる表示制御装置として機能させる情報表示プログラムを含むものである。
【０１１８】
また、本発明は、情報を表示するためにコンピュータを、地図情報を格納する地図情報格納部、所定の地点及び日付を関連付けて入力する入力装置、前記地点及び日付を関連付けて格納するスケジュール情報格納部、カレンダー及び地図を表示する表示装置、並びに、前記カレンダーにおいて選択された日付に関連付けられた地点に対応する地図を前記表示装置に表示させる表示制御装置として機能させる情報表示プログラムを記録したコンピュータ読み取り可能な記録媒体を含むものであってもよい。
【０１１９】
なお、本発明は前記実施の形態に限定されるものではなく、本発明の趣旨に基づいて種々変形させることが可能であり、それらを本発明の範囲から排除するものではない。
【図面の簡単な説明】
【０１２０】
【図１】本発明の第１の実施の形態における情報端末の表示画面を示す第１の図である。
【図２】本発明の第１の実施の形態における情報表示システムの構成を示す概念図である。
【図３】本発明の第１の実施の形態における情報端末の表示画面におけるカーソルの拡大図である。
【図４】本発明の第１の実施の形態における情報端末の表示画面を示す第２の図である。
【図５】本発明の第１の実施の形態における情報端末の表示画面を示す第３の図である。
【図６】本発明の第１の実施の形態における情報端末の表示画面を示す第４の図である。
【図７】本発明の第１の実施の形態における情報端末の表示画面を示す第５の図である。
【図８】本発明の第２の実施の形態における情報端末の表示画面を示す第１の図である。
【図９】本発明の第２の実施の形態における情報端末の表示画面を示す第２の図である。
【図１０】本発明の第３の実施の形態における情報端末の表示画面を示す第１の図である。
【図１１】本発明の第３の実施の形態における情報端末の表示画面を示す第２の図である。
【図１２】本発明の第３の実施の形態における情報端末の動作を示すフローチャートである。
【図１】
0004577298.tif 000002
【図２】
0004577298.tif 000003
【図３】
0004577298.tif 000004
【図４】
0004577298.tif 000005
【図５】
0004577298.tif 000006
【図６】
0004577298.tif 000007
【図７】
0004577298.tif 000008
【図８】
0004577298.tif 000009
【図９】
0004577298.tif 000010
【図１０】
0004577298.tif 000011
【図１１】
0004577298.tif 000012
【図１２】
0004577298.tif 000013